(57)【要約】【課題】原稿のセット順に関係なく、同一原稿の画像データの重複出力を抑制することが可能な原稿読取装置を提供する。【解決手段】原稿読取装置１は、セット部２９にセットされた原稿が、以前、画像読取部２７による画像読取処理がされたか否かを判断する判断部３７と、判断部が肯定判断をした原稿に基づく画像データの重複出力を行わず、否定判断をした原稿について画像読取処理に基づく画像データの出力を行う制御部３７と、を備える。【選択図】図４
2010177761.tif 000002
【特許請求の範囲】
【請求項１】
原稿がセットされるセット部と、
前記セット部にセットされた前記原稿の画像を読み取る画像読取部と、
前記セット部にセットされた前記原稿が、以前、前記画像読取部による画像読取処理がされたか否かを判断する判断部と、
前記判断部が肯定判断をした原稿に基づく画像データの重複出力を行わない制御部と、を備える原稿読取装置。
【請求項２】
請求項１に記載の原稿読取装置であって、
前記原稿は記憶データを記憶する記憶部を有し、
前記画像読取処理がされる前記原稿の前記記憶部内の前記記憶データを読み取るデータ読取部と、
前記データ読取部により読み取られた前記記憶データを格納するデータ格納部と、を備え、
前記判断部は、前記データ読取部が読み取った記憶データと、前記データ格納部に既に格納されている記憶データとの比較に基づき前記判断を行う構成である、原稿読取装置。
【請求項３】
請求項１に記載の原稿読取装置であって、
前記原稿は記憶部を有し、
前記画像読取処理がされる前記原稿の前記記憶部内にフラグを書き込むデータ書込部と、
前記セット部にセットされた前記原稿の前記記憶部内の前記フラグの有無を検出するフラグ検出部と、を備え、
前記判断部は、前記フラグ検出部の検出結果に基づき前記判断を行う構成である、原稿読取装置。
【請求項４】
請求項２または請求項３に記載の原稿読取装置であって、
前記制御部は、前記判断部が肯定判断をした前記原稿については前記画像読取処理を禁止することで前記画像データの重複出力を行わない構成である、原稿読取装置。
【請求項５】
請求項２から請求項４のいずれか一項に記載の原稿読取装置であって、
以前行った前記画像読取処理における読取条件を格納する条件格納部と、
前記セット部にセットされる複数枚の前記原稿の中に、前記以前行った画像読取処理がされた原稿が含まれるか否かを検知する原稿検知部と、を備え、
前記画像読取部は、前記原稿検知部が、前記以前行った画像読取処理がされた原稿を検知した場合には、前記複数枚の原稿のうち少なくとも前記判断部が否定判断をした原稿について前記条件格納部に格納された読取条件で前記画像読取処理を行う構成である、原稿読取装置。
【請求項６】
請求項１から請求項５のいずれか一項に記載の原稿読取装置であって、
前記判断部は、前記原稿読取処理のエラーが発生し当該エラーが解消した後、最初の前記原稿読取処理において前記判断を行う、原稿読取装置。
【請求項７】
請求項１から請求項６のいずれか一項に記載の原稿読取装置であって、
前記制御部は、前記肯定判断をした前記原稿の前記画像データ、及び、前記判断部が否定判断をした前記原稿の前記画像データを１つのファイルとして出力する構成である、原稿読取装置。
【請求項８】
請求項１から請求項７のいずれか一項に記載の原稿読取装置であって、
前記セット部にセットされる複数枚の前記原稿全ての前記画像データを出力した後に、前記判断部の判断要素を消去する消去部を備える、原稿読取装置。
【発明の詳細な説明】
【技術分野】
【０００１】
本発明は、原稿読取装置に関する。
【背景技術】
【０００２】
複数枚の原稿について各原稿の画像を順次読み取る原稿読取装置では、その読み取り過程で読み取りエラーが発生することがある。そこで、従来から、そのエラーの発生後に同一原稿の画像を重複して読み取ることを回避することを目的とした原稿読取装置がある（特許文献１参照）。具体的には、当該原稿読取装置は、ファクシミリ装置に備えられており、エラーの発生による通信の中断後、再度、全ページの原稿がセットされると、前回正常に読み取りがされた枚数と同一枚数分の原稿は読み取りを行わず空送りし、それ以降の原稿から再度読み取りを開始する構成になっている。
【先行技術文献】
【特許文献】
【０００３】
【特許文献１】特開平７−１１５５２８号公報
【発明の概要】
【発明が解決しようとする課題】
【０００４】
しかしながら、上記従来の原稿読取装置では、エラー発生後の再読み取り時において、全ページの原稿をエラー発生前と同じ順序にして読取装置に再セットしなければ、同一原稿について画像の出力を重複して行ってしまうという問題がある。
【０００５】
本発明は上記のような事情に基づいて完成されたものであって、その目的は、原稿のセット順に関係なく、同一原稿の画像データの重複出力を抑制することが可能な原稿読取装置を提供するところにある。
【課題を解決するための手段】
【０００６】
（１）上記の目的を達成するための手段として、第１の発明に係る原稿読取装置は、原稿がセットされるセット部と、前記セット部にセットされた前記原稿の画像を読み取る画像読取部と、前記セット部にセットされた前記原稿が、以前、前記画像読取部による画像読取処理がされたか否かを判断する判断部と、前記判断部が肯定判断をした原稿に基づく画像データの重複出力を行わない制御部と、を備える。
【０００７】
この発明によれば、セット部にセットされた原稿が、以前、画像の読取処理がされたか否かを判断し、肯定判断をした原稿に基づく画像データの重複出力を行わない。これにより、原稿のセット順に関係なく同一原稿の画像データの重複出力を抑制することが可能である。
【０００８】
（２）第２の発明は、第１の発明の原稿読取装置であって、前記原稿は記憶データを記憶する記憶部を有し、前記画像読取処理がされる前記原稿の前記記憶部内の前記記憶データを読み取るデータ読取部と、前記データ読取部により読み取られた前記記憶データを格納するデータ格納部と、を備え、前記判断部は、前記データ読取部が読み取った記憶データと、前記データ格納部に既に格納されている記憶データとの比較に基づき前記判断を行う構成である。
【０００９】
原稿が、以前、画像読取処理がされたか否かの判断を、例えば画像読取処理に基づく画像データを利用して行う構成も考えられるが、処理負担が重くなるおそれがある。これに対して、この発明によれば、原稿の記憶部に記憶された記憶データを利用して上記判断を行う。これにより、画像データに基づき判断を行う上記構成に比べて処理負担の軽減を図ることが可能である。
【００１０】
（３）第３の発明は、第１の発明の原稿読取装置であって、前記原稿は記憶部を有し、前記画像読取処理がされる前記原稿の前記記憶部内にフラグを書き込むデータ書込部と、前記セット部にセットされた前記原稿の前記記憶部内の前記フラグの有無を検出するフラグ検出部と、を備え、前記判断部は、前記フラグ検出部の検出結果に基づき前記判断を行う構成である。
【００１１】
この発明によれば、画像読取処理がされる原稿の記憶部にフラグを書き込む。そして、セット部にセットされた原稿の記憶部内のフラグの有無に基づき、当該原稿が、以前、画像読取処理がされたか否か判断する。これにより、その判断のためにデータ格納部を原稿読取装置側に設ける必要がなくなる。
【００１２】
（４）第４の発明は、第２または第３の発明の原稿読取装置であって、前記制御部は、前記判断部が肯定判断をした前記原稿については前記画像読取処理を禁止することで前記画像データの重複出力を行わない構成である。
この発明によれば、同一原稿について重複して画像読取処理がされることを抑制することが可能である。
【００１３】
（５）第５の発明は、第２から第４のいずれか一つの発明の原稿読取装置であって、以前行った前記画像読取処理における読取条件を格納する条件格納部と、前記セット部にセットされる複数枚の前記原稿の中に、前記以前行った画像読取処理がされた原稿が含まれるか否かを検知する原稿検知部と、を備え、前記画像読取部は、前記原稿検知部が、前記以前行った画像読取処理がされた原稿を検知した場合には、前記複数枚の原稿のうち少なくとも前記判断部が否定判断をした原稿について前記条件格納部に格納された読取条件で前記画像読取処理を行う構成である。
【００１４】
この発明によれば、セット部にセットされる複数の原稿の中に、以前、画像読取処理が行われた原稿が含まれる場合に、改めて設定しなおすことなく以前の読取条件で画像読取処理を行うことが可能である。
【００１５】
（６）第６の発明は、第１から第５のいずれか一つの発明の原稿読取装置であって、前記判断部は、前記原稿読取処理のエラーが発生し当該エラーが解消した後、最初の前記原稿読取処理において前記判断を行う。
【００１６】
この発明によれば、原稿読取処理のエラーの解消後、最初の原稿読取処理において判断部による判断を行う。これにより、エラーの解消後の原稿読取処理を効率よく行うことが可能である。
【００１７】
（７）第７の発明は、第１から第６のいずれか一つの発明の原稿読取装置であって、前記制御部は、前記肯定判断をした前記原稿の前記画像データ、及び、前記判断部が否定判断をした前記原稿の前記画像データを１つのファイルとして出力する構成である。
【００１８】
この発明によれば、肯定判断をした原稿の画像データ、及び、否定判断をした画像データを１つのファイルとして出力する。これにより、特に両画像データに関連性がある場合に、例えばデータ管理などの利便性が高くなる。
【００１９】
（８）第８の発明は、第１から第７のいずれか一つの発明の原稿読取装置であって、前記セット部にセットされる複数枚の前記原稿全ての前記画像データを出力した後に、前記判断部の判断要素を消去する消去部を備える。
【００２０】
この発明によれば、複数枚の原稿全ての画像データを出力した後に、判断部の判断要素（例えばデータ格納部内の記憶データ、原稿の記憶部内のフラグ、対比用の画像データ）を消去する。これにより、上記複数枚の原稿について改めて画像データの出力が可能になる。
【発明の効果】
【００２１】
本発明によれば、原稿のセット順に関係なく、同一原稿の画像データの重複出力を抑制することが可能である。
【図面の簡単な説明】
【００２２】
【図１】本発明の一実施形態に係る複合機の内部構成の概要図
【図２】複合機の電気的構成を示すブロック図
【図３】スキャン出力処理を示すフローチャート
【図４】重複出力回避スキャン処理を示すフローチャート
【図５】出力処理を示すフローチャート
【図６】初回スキャン、２回目スキャンの原稿順と原稿画像ファイルとの関係を示す説明図
【発明を実施するための形態】
【００２３】
本発明の一実施形態について図を参照しつつ説明する。
（１）複合機の内部構成
図１は、複合機１（本発明の「原稿読取装置」の一例）の内部構成の概要図である。複合機１は、複合機本体３とスキャナユニット５とを備えて構成され、コピー機能やスキャン（原稿画像読み取り）機能などを有している。
【００２４】
（１−１）複合機本体
複合機本体３は、トレイ７、シート搬送用のベルト９、画像形成部１１、定着器１３及び排出トレイ１５等を有する。トレイ７は、複合機１の底部に設けられ、画像形成（印刷）用のシート１７（例えば用紙など）が収納される。
【００２５】
トレイ７に収納されたシート１７は、ピックアップローラ１９によって１枚ずつ取り出されてレジストレーションローラ２１，２１へと搬送される。搬送されてきたシート１７は、レジストレーションローラ２１，２１により姿勢が整えられつつ所定のタイミングでベルト９上に送り出される。
【００２６】
送り出されたシート１７は、ベルト９によって搬送されつつ、画像形成部１１により、例えばスキャナユニット５により読み取られた画像データに基づく画像（モノクロ画像、カラー画像）が形成される。画像が形成されたシート１７は、定着器１３で熱定着され、排出トレイ１５上へと排出される。
【００２７】
（１−２）スキャナユニット
スキャナユニット５は、排出トレイ１５の上方に設けられており、原稿台２３（本発明の「セット部」の一例）と原稿カバー２５とを備える。原稿台２３は、スキャナ部２７（本発明の「画像読取部」の一例）を内蔵する。原稿カバー２５は、原稿台２３上に開閉可能に支持されており、原稿トレイ２９（本発明の「セット部」の一例）及び送り機構３１を有する。原稿カバー２５にセットされる原稿３３には、ＲＦＩＤタグ３５（本発明の「記憶部」の一例）を有するもの（以下、「ＲＦＩＤ原稿３３Ａ」という）と、ＲＦＩＤタグ３５を有しないもの（以下、「普通原稿」という）とが含まれ得る。
【００２８】
スキャナユニット５は、原稿３３上の原稿画像をスキャンする方法として、「原稿載置スキャン（以下、「ＦＢスキャン」という）」と「原稿送りスキャン（以下、「ＡＤＦスキャン」という）」とを実行可能である。ＦＢスキャンの場合、ユーザは、原稿３３を原稿台２３上に配置し原稿カバー２５を閉じて、スキャン機能の実行を指示する。すると、スキャナ部２７が移動しつつ原稿３３の原稿画像を読み取って画像データ（スキャナデータ）を生成し、複合機本体３に内蔵されたＣＰＵ３７（図２参照）へ送信する。なお、ＦＢスキャンの場合、原稿台２３が本発明の「セット部」の一例である。
【００２９】
ＡＤＦスキャンの場合、ユーザは、原稿３３を原稿トレイ２９にセットし、スキャン機能の実行を指示する。すると、原稿３３が１ページずつ送り機構３１によってスキャナ部２７の読取領域内に搬送され、その後、原稿排出トレイ３９に排出される。スキャナ部２７は搬送中の原稿３３から原稿画像を読み取って画像データを生成し、ＣＰＵ３７へと送信する。なお、ＡＤＦスキャンの場合、原稿トレイ２９が本発明の「セット部」の一例である。
【００３０】
スキャナユニット５は、更に、例えば３つのＲＦＩＤリーダ４１，４３，４５を備える。ＲＦＩＤリーダ４１（本発明の「原稿検知部」の一例）は、例えば原稿トレイ２９にセットされた複数枚のＲＦＩＤ原稿３３Ａ全てのＲＦＩＤタグ３５に無線通信によりアクセス可能な位置に設けられている。そして、ＲＦＩＤリーダ４１は、後述するスキャン出力処理（図３）において、上記複数枚の原稿３３中に、以前、スキャナ部２７にスキャンされた原稿３３が含まれているか否かを検知するときに（同図のＳ１）使用される。
【００３１】
ＲＦＩＤリーダ４３（本発明の「データ読取部」の一例）は、ＡＤＦスキャン時において、送り機構３１による搬送中の１枚のＲＦＩＤ原稿３３ＡのＲＦＩＤタグ３５に無線通信によりアクセス可能な位置に設けられている。具体的には、ＲＦＩＤリーダ４３は、原稿トレイ２９とスキャナ部２７の読取領域との間における搬送経路付近に設けられている。
【００３２】
ＲＦＩＤリーダ４５（本発明の「データ読取部」の一例）は、ＦＢスキャン時において、原稿台２３上にセットされたＲＦＩＤ原稿３３ＡのＲＦＩＤタグ３５に無線通信によりアクセス可能な位置に設けられている。具体的には、ＲＦＩＤリーダ４５は原稿排出トレイ３９付近に設けられている。
【００３３】
（２）複合機の電気的構成
図２は、複合機１の電気的構成を示すブロック図である。複合機１は、ＣＰＵ３７（本発明の「判断部、制御部、消去部」の一例）、ＲＯＭ５１、ＲＡＭ５３、ＮＶＲＡＭ５５（不揮発性メモリ  本発明の「データ格納部、条件格納部」の一例）、操作部５７、表示部５９、エラーセンサ６０、画像形成部１１、スキャナユニット５等を備える。ＲＯＭ５１には、後述するスキャン出力処理など、この複合機１の各種の動作を実行するためのプログラムが記憶されており、ＣＰＵ３７は、ＲＯＭ５１から読み出したプログラムに従って、その処理結果を内部メモリ（ＲＡＭ５３またはＮＶＲＡＭ５５）に記憶させながら各部の制御を行う。操作部５７は、複数のボタンを備え、ユーザにより各種の入力操作が可能である。表示部５９は、液晶ディスプレイやランプ等を備え、各種の設定画面や装置の動作状態等を表示することが可能である。
【００３４】
また、複合機１は、ネットワークインターフェイス６１を備える。ネットワークインターフェイス６１は、ネットワーク回線を介して外部のコンピュータ６３等の外部通信機器に接続され、これにより相互のデータ通信が可能となっている。更に、ＣＰＵ３７は、前述したＲＦＩＤリーダ４１，４３，４５を制御する。エラーセンサ６０については後で説明する。
【００３５】
（３）スキャン出力処理
図３から図５は、スキャン出力処理の内容を示すフローチャートである。また、図６は、このスキャン出力処理により、ＲＦＩＤ原稿３３Ａのスキャンから、コンピュータ６３等への原稿画像ファイルＦの出力までの過程を説明するための模式図である。以下の説明では、例えば５ページのＲＦＩＤ原稿３３Ａをスキャンする場合を例に挙げて説明する。
【００３６】
各ＲＦＩＤ原稿３３ＡのＲＦＩＤタグ３５内には、予めＲＦＩＤデータＲＤ（本発明の「記憶データ」の一例）が記憶されている。ＲＦＩＤデータＲＤには、イメージ情報、テキスト情報など、様々な情報が含まれる。また、各ＲＦＩＤタグ３５を識別するための固有情報、機密情報やユーザ識別情報など、安易な複製を禁止して唯一性を極力保持すべき情報が含まれる。そして、各ＲＦＩＤタグ３５内のＲＦＩＤデータＲＤには、各ＲＦＩＤ原稿３３Ａのページ順序情報が含まれる。図６では各ＲＦＩＤデータＲＤの符号を、上記ページ順序に対応してＲＤ１、ＲＤ２、ＲＤ３、ＲＤ４、ＲＤ５としている。
【００３７】
例えばユーザが操作部５７にてスキャン機能の実行を指示すると、ＣＰＵ３７は図３から図５に示すスキャン出力処理を実行する。このスキャン出力処理により、５ページのＲＦＩＤ原稿３３Ａから原稿画像を読み取って、画像データを生成し、コンピュータ６３に出力する（いわゆるＰＣスキャン）。しかも、上記５ページのＲＦＩＤ原稿３３Ａの一部または全部が原稿トレイ２９に再セットされても、そのセット順序に関係なく、同一ＲＦＩＤ原稿３３Ａ（同一ページ）の画像データの重複出力を防止することができる。以下、５ページのＲＦＩＤ原稿３３Ａについて初回スキャンと、２回目以降スキャンとに分けて説明する。
【００３８】
（３−１）初回スキャン
初回スキャンとは、例えばユーザが、上記５ページのＲＦＩＤ原稿３３Ａを初めて原稿台２３上や原稿トレイ２９にセットし、スキャン機能の実行を指示する場合である。特に以下では５ページのＲＦＩＤ原稿３３Ａを初めて原稿トレイ２９にセットし、ＡＤＦスキャンを実行する場合を例に挙げて説明する。ＣＰＵ３７は、図３のＳ１で、ＲＦＩＤリーダ４１を利用して、原稿トレイ２９にセットされた複数枚の原稿３３中に、以前、スキャナ部２７にスキャンされた原稿３３（以下、単に「重複原稿」という）が含まれているか否かを検知する。初回スキャンでは、以前、スキャンされた原稿３３は含まれていないので（Ｓ１：ＮＯ）、Ｓ５でユーザが操作部５７にて入力した新規の読取条件（例えば解像度、モノクロ・カラーの選択など）を設定する。具体的には、当該読取条件をＲＡＭ５３に一時的に格納する。
【００３９】
次にＣＰＵ３７は、送り機構３１により１枚のＲＦＩＤ原稿３３Ａの搬送を開始し、Ｓ９で、ＲＦＩＤリーダ４３を利用して、当該搬送中の原稿３３にＲＦＩＤタグ３５が付いているか否か、即ち、搬送中の原稿３３がＲＦＩＤ原稿３３Ａであるか否かを判断する。具体的には、ＲＦＩＤリーダ４３から無線通信を試み、無線通信が成功した場合にＲＦＩＤ原稿３３Ａであると判断する。本説明では原稿トレイ２９にセットされた全ページの原稿３３がＲＦＩＤ原稿３３Ａなので、当然、上記搬送中の原稿３３もＲＦＩＤ原稿３３Ａであり（Ｓ９：ＹＥＳ）、Ｓ１１に進む。
【００４０】
Ｓ１１では、ＲＦＩＤリーダ４３によりＲＦＩＤ原稿３３ＡのＲＦＩＤタグ３５内からＲＦＩＤデータＲＤを読み取り、ＮＶＲＡＭ５５に格納する。このとき、ＲＦＩＤリーダ４３は本発明の「データ読取部」として機能し、ＮＶＲＡＭ５５が本発明の「データ格納部」として機能する。
【００４１】
続いてＳ１３では、２回目以降スキャンにおいて、前回以前（例えば前回）のスキャン出力処理過程でＡＤＦスキャンエラーが発生したかどうかを判断する。ＡＤＦスキャンエラーとは、例えば送り機構３１による原稿３３の搬送途中で、原稿３３が詰まったりスキャナ部２７が故障したりした場合である。ＣＰＵ３７は、エラーセンサ６０を介してＡＤＦスキャンエラーを検知する。初回スキャンでは（Ｓ１３：ＮＯ）、Ｓ１５に進む。
【００４２】
Ｓ１５では、ユーザが操作部５７にて重複出力回避指令を入力しているかどうかを判断する。初回スキャンでは通常、重複出力回避指令を入力しないから（Ｓ１５：ＮＯ）、Ｓ１７に進み通常スキャン処理を実行する。
【００４３】
通常スキャン処理では、搬送中のＲＦＩＤ原稿３３Ａの原稿画像をスキャナ部２７にて上記新規の読取条件でスキャンし、これにより生成された画像データ（例えばＰＤＦデータやＪＰＥＧデータなど）を、当該ＲＦＩＤ原稿３３ＡのＲＦＩＤデータＲＤと対応付けてＮＶＲＡＭ５５に格納する。また、通常スキャン処理では、上記新規の読取条件（Ｓ５参照）を、ＮＶＲＡＭ５５に格納されたＲＦＩＤデータＲＤ（Ｓ１１参照）と対応付けてＮＶＲＡＭ５５に格納する。このときＮＶＲＡＭ５５は本発明の「条件格納部」として機能する。
【００４４】
そして、５ページ全てのＲＦＩＤ原稿３３Ａについてスキャンが終了すると、５ページ全てのＲＦＩＤ原稿３３Ａの画像データを読取順序に従って１つの原稿画像ファイルＦとしてまとめてコンピュータ６３に出力し、本スキャン出力処理を終了する。なお、搬送中の原稿３３が普通原稿である場合には（Ｓ９：ＮＯ）、Ｓ１１〜Ｓ１５の処理を実行することなく、Ｓ１７に進む。
【００４５】
（３−２）２回目以降スキャン
２回目以降スキャンとは、初回スキャンの実行後に、上記５ページのＲＦＩＤ原稿３３Ａの一部または全部を原稿トレイ２９に再セットする場合であり、以下では、上記通常スキャン処理の途中でＡＤＦスキャンエラーが発生し、全５ページのＲＦＩＤ原稿３３Ａを再セットした場合を例に挙げて説明する。
【００４６】
ユーザが、上記５ページのＲＦＩＤ原稿３３Ａを原稿トレイ２９に再セットし、ＡＤＦスキャンによるスキャン機能の実行を指示すると、ＣＰＵ３７は、上述したように図３のＳ１で、重複原稿が含まれているか否かを検知する。具体的には、上記Ｓ１７にてＮＶＲＡＭ５５に既に格納されているＲＦＩＤデータＲＤを読み出す一方で、ＲＦＩＤリーダ４１により５ページのＲＦＩＤ原稿３３ＡからＲＦＩＤデータＲＤを読み取る。そして、ＮＶＲＡＭ５５に既に格納されているＲＦＩＤデータＲＤの中に、ＲＦＩＤリーダ４１により今回読み取ったＲＦＩＤデータＲＤと一致するものが有れば（Ｓ１：ＹＥＳ）、重複原稿が含まれていると判断し、Ｓ３に進む。
【００４７】
Ｓ３では、例えば表示部５９を介して、ユーザに前回以前のスキャン機能の実行時に入力した既存の読取条件を使用するかどうかを問い合せる。これに対してユーザが既存の読取条件の使用を指示する入力をした場合には（Ｓ３：ＹＥＳ）、Ｓ７で、上記Ｓ１７にてＮＶＲＡＭ５５に格納した読取条件（既存の読取条件）を読み出してＲＡＭ５３に一時的に格納し、Ｓ９に進む。
【００４８】
一方、Ｓ１でＮＶＲＡＭ５５に既に格納されているＲＦＩＤデータＲＤの中に、ＲＦＩＤリーダ４１により読み取ったＲＦＩＤデータＲＤと一致するものが無ければ（Ｓ１：ＮＯ）、重複原稿が含まれていないと判断し、Ｓ５に進み、ユーザが操作部５７にて今回新たに入力した新規の読取条件を設定し、Ｓ９に進む。また、一致するものが有っても（Ｓ１：ＹＥＳ）、ユーザが既存条件の使用を指示する入力をしなかった場合には（Ｓ３：ＮＯ）Ｓ５に進む。
【００４９】
その後、Ｓ９では、搬送中の原稿３３はＲＦＩＤ原稿３３Ａなので（Ｓ９：ＹＥＳ）、Ｓ１１に進み、ＲＦＩＤリーダ４３によりＲＦＩＤ原稿３３ＡのＲＦＩＤタグ３５内からＲＦＩＤデータＲＤを読み取る。
【００５０】
そして、前回のスキャン機能の実行過程でＡＤＦスキャンエラーが発生した場合には（Ｓ１３：ＹＥＳ）、或いは、ＡＤＦスキャンエラーは発生していないが、ユーザが操作部５７にて重複出力回避指令を入力した場合には（Ｓ１３：ＮＯ、Ｓ１５：ＹＥＳ）、Ｓ１９に進む。
【００５１】
（３−３）重複出力回避スキャン処理
ＣＰＵ３７は、Ｓ１９にて図４に示す重複出力回避スキャン処理を実行する。まずＳ３１で、現在、送り機構３１により搬送中であるスキャン対象のＲＦＩＤ原稿３３Ａが、以前、スキャナ部２７にスキャンされたか否かを判断する。このときＣＰＵ３７は本発明の「判断部」として機能する。
【００５２】
具体的には、ＣＰＵ３７は、上記図３のＳ１１にて読み取ったＲＦＩＤデータＲＤが、ＮＶＲＡＭ５５に既に格納されているか否かを判断し、格納されていなければ、現在スキャン対象のＲＦＩＤ原稿３３Ａは、以前、スキャンしていないと判断し（Ｓ３１：ＮＯ  本発明でいう「否定判断」の一例）、Ｓ３３に進む。
【００５３】
Ｓ３３では、スキャナ部２７により、現在スキャン対象のＲＦＩＤ原稿３３Ａについて、上記新規の読取条件（Ｓ５参照）または既存の読取条件（Ｓ７参照）でスキャンを開始し、Ｓ３５に進む。
【００５４】
Ｓ３５では、現在スキャン対象のＲＦＩＤ原稿３３Ａのスキャン中にＡＤＦスキャンエラーが発生したか否かを判断し、発生していない、即ち、スキャンが成功したと判断した場合には（Ｓ３５：ＮＯ）、Ｓ３７に進む。Ｓ３７では、その成功したスキャンにより生成した画像データを、上記ＲＦＩＤ原稿３３Ａから読み取ったＲＦＩＤデータＲＤと対応付けてＮＶＲＡＭ５５に格納し、Ｓ４１に進む。
【００５５】
一方、Ｓ３１で、上記Ｓ１１にて読み取ったＲＦＩＤデータＲＤが、ＮＶＲＡＭ５５に未だ格納されていれば、現在スキャン対象のＲＦＩＤ原稿３３Ａは、以前、スキャンしたと判断し（Ｓ３１：ＹＥＳ  本発明でいう「肯定判断」の一例）、Ｓ３３〜Ｓ３７の処理を行うことなくＳ４１に進む。即ち、以前、スキャンが成功したＲＦＩＤ原稿３３Ａについてはスキャンしないのである。このときＣＰＵ３７は本発明の「制御部」として機能する。
【００５６】
Ｓ４１では、前回（通常スキャン処理）、及び、今回スキャンが成功したＲＦＩＤ原稿３３ＡのＲＦＩＤデータＲＤを、ＮＶＲＡＭ５５内の処理待ちキュー（行列）に登録する。この処理待ちキューは画像データの出力順を管理するためのデータ構造である。なお、このとき、処理待ちキューには、５枚のＲＦＩＤ原稿３３ＡのＲＦＩＤデータＲＤが、スキャナされた順序で登録されている。
【００５７】
Ｓ３５でＡＤＦスキャンエラーが発生したと判断した場合には（Ｓ３５：ＹＥＳ）、Ｓ３９で処理待ちキューをクリアし、スキャン出力処理を異常終了する。ＣＰＵ３７は、ＡＤＦスキャンエラーが解消されたことを、エラーセンサ６０を介して検知した場合に上記異常終了状態を解除し、スキャナ機能の新たな実行が可能になる。なお、上記異常終了を、例えば表示部５９やコンピュータ６３の表示部を介してユーザに報知することが好ましい。
【００５８】
以上Ｓ３１〜Ｓ４１までの処理を、各ページのＲＦＩＤ原稿３３Ａについて繰り返し（Ｓ４３：ＹＥＳ）、全５ページ分終了したときに（Ｓ４３：ＮＯ）、Ｓ４５で図５に示す出力処理を実行する。
【００５９】
（３−４）出力処理
ＣＰＵ３７は、Ｓ５１で処理待ちキューに登録されている全ＲＦＩＤデータＲＤの登録順序を、所定の並び替え設定に従って並び替える。この並び替え設定の例としては、ＲＦＩＤデータＲＤの順序（ページ順）の昇順、降順がある。そして、これらの並び替え設定の中から、ユーザが操作部５７での操作により選択できることが好ましい。
【００６０】
次にＳ５３で、上記Ｓ５１で並び替えられた登録順序に従って、ＲＦＩＤデータＲＤに対応する画像データをＮＶＲＡＭ５５から順次読み出す。そして、Ｓ５５で、これらの画像データに基づく原稿画像を上記登録順序に並べて１つのファイルとして結合した原稿画像ファイルＦにフォーマットを変換し、Ｓ５７でコンピュータ６３への送信を開始する。
【００６１】
コンピュータ６３への原稿画像ファイルの送信が成功した場合には（Ｓ５９：ＹＥＳ）、Ｓ６１で、上記重複出力回避スキャン処理のＳ３１での判断要素であるＲＦＩＤデータＲＤをＮＶＲＡＭ５５から消去し、本スキャン出力処理を終了する。このときＣＰＵ３７は本発明の「消去部」として機能する。
【００６２】
一方、コンピュータ６３への原稿画像ファイルの送信が失敗した場合には（Ｓ５９：ＮＯ）、上記図４のＳ３９の後と同様、異常終了となる。
【００６３】
図６に示すように、初期スキャン時に、５ページのＲＦＩＤ原稿３３Ａをページ番号の昇順に並べて原稿トレイ２９にセットし、ＡＤＦスキャンを実行したとする。すると、通常スキャン処理（図３のＳ１７）により５ページのＲＦＩＤ原稿３３Ａがページ順にスキャンされる。そして、ＡＤＦスキャンエラーが発生することなく、全５ページのＲＦＩＤ原稿３３Ａのスキャンが成功すれば、図６に示すように５ページ分の画像が、ページ番号の昇順で結合された原稿画像ファイルをコンピュータ６３に送信することができる。
【００６４】
一方、５ページのＲＦＩＤ原稿３３Ａのスキャン途中（例えば３ページ目のスキャン中）にＡＤＦスキャンエラーが発生したとすると、ユーザは５ページのＲＦＩＤ原稿３３Ａをすべて集めて再び原稿トレイ２９に再セットし、２回目スキャンを実行する。ところが、このとき、５ページのＲＦＩＤ原稿３３Ａは図６に示すようにバラバラのページ順でセットされたとする。ところが、上記重複出力回避スキャン処理（図４）において、既にスキャン済みの１，２ページ目のＲＦＩＤ原稿３３Ａのスキャンは行わず、まだスキャンが成功していない３〜５ページ目のＲＦＩＤ原稿３３Ａのみスキャンを実行する。
【００６５】
そして、ユーザが操作部５７にて昇順に設定していれば、出力処理（図５）において、図６に示すように５ページ分の画像が、ページ番号の昇順で結合された原稿画像ファイルをコンピュータ６３に送信することができる。
【００６６】
上記例では、初回スキャン及び２回目スキャン時にＡＤＦスキャンを実行したが、本実施形態はこれに限られない。２回目スキャン時にＦＢスキャンを実行する場合であっても、上記例と同様の効果を得ることができる。なお、この場合、例えば最終ページの原稿をＦＢスキャンする場合に、その旨をユーザが操作部５７にて指示することで、ＣＰＵ３７は、上記Ｓ４３で「ＮＯ」と判断し、出力処理に進む。また、初回スキャン時にＦＢスキャンを実行する場合であっても、ユーザが重複出力回避指令を入力すれば（図３のＳ１５：ＹＥＳ）、重複出力回避スキャン処理が実行され、上記例と同様の効果を得ることができる。
【００６７】
（４）本実施形態の効果
本実施形態によれば、原稿台２３や原稿トレイ２９にセットされた原稿３３が、以前、スキャンされたか否かを判断し、肯定判断をした原稿３３に基づく画像データの重複出力を行わず、否定判断をした原稿３３について読取処理に基づく画像データの出力を行う。これにより、原稿３３のセット順に関係なく同一原稿の画像データの重複出力を抑制することが可能である。
【００６８】
また、重複出力回避スキャン処理では、現在スキャン対象のＲＦＩＤ原稿３３Ａが、以前、スキャンしたと判断した判断したときには（Ｓ３１：ＹＥＳ）、スキャンを禁止することにより、重複出力を防止する。従って、画像データの重複出力だけでなく、重複スキャンをも防止することができ、スキャン出力処理の処理負担を軽減することが可能である。
【００６９】
更に、原稿トレイ２９等にセットされる複数の原稿３３の中に、以前、スキャンした原稿３３が含まれる場合に（Ｓ１：ＹＥＳ）、改めて設定しなおすことなく既存（以前）の読取条件でスキャンを行うことが可能である（Ｓ７）。
【００７０】
また、ＡＤＦスキャンエラーの解消後、最初のＡＤＦスキャンにおいて重複出力回避スキャン処理を常に実行する（Ｓ１３：ＹＥＳ、Ｓ１９）。これにより、エラーの解消後のスキャン出力処理を効率よく行うことが可能である。
【００７１】
Ｓ３１で肯定判断をしたＲＦＩＤ原稿３３Ａの画像データ、及び、否定判断をした画像データを１つのファイルとして出力する（Ｓ５５）。これにより、特に両画像データに関連性がある場合に、コンピュータ６３側でのデータ管理などの利便性が高くなる。
【００７２】
また、複数枚の原稿３３全ての画像データを出力した後に、重複出力回避スキャン処理のＳ３１での判断要素であるＲＦＩＤデータＲＤをＮＶＲＡＭ５５から消去し、本スキャン出力処理を終了する。これにより、上記複数枚の原稿について改めて画像データの出力が可能になる。
【００７３】
＜他の実施形態＞
本発明は上記記述及び図面によって説明した実施形態に限定されるものではなく、例えば次のような種々の態様も本発明の技術的範囲に含まれる。特に、各実施形態の構成要素のうち、最上位の発明の構成要素以外の構成要素は、付加的な要素なので適宜省略可能である。
【００７４】
（１）上記実施形態では、本発明の「原稿読取装置」として、スキャン機能、コピー機能等を備えた複合機１を例に挙げて説明したが、本発明はこれに限られない。例えば原稿読取機能のみを有し、上記スキャン出力処理を実行するための構成（ＣＰＵ、メモリ等）を内蔵した原稿読取専用装置であってもよい。なお、この原稿読取専用装置は、読み取った画像データを外部機器（例えばパーソナルコンピュータ、プリンタ）に出力する。
【００７５】
更に、スキャン機能を有する装置と、当該装置にデータ通信可能に接続された外部機器（例えばパーソナルコンピュータ）とを備えて構成される原稿読取システムであってもよい。この場合、上記スキャン出力処理を実行するための構成（ＣＰＵ、メモリ等）を外部機器に設けて、当該外部機器にて更に上位機器への画像データの重複出力や、当該外部機器が有する表示装置への重複出力（重複表示）を防止してもよい。これにより、スキャン機能を有する装置の処理負担を軽減することができる。
【００７６】
（２）上記実施形態では、スキャン出力処理の一例として、ＰＣスキャンを例に挙げて説明したが、本発明はこれに限られない。例えばファクシミリ通信を利用して外部のファクリミリ装置に画像データ（ファクシミリデータ）を出力する構成であってもよい。また、複合機１の画像形成部１１に画像データを出力して印刷出力したり、表示部５９に画像データを出力して画像表示したりする構成であってもよい。
【００７７】
（３）上記実施形態では、通常スキャン処理において、読取条件を複合機１側のＮＶＲＡＭ５５に格納したが、本発明は、これに限られない。スキャンを成功したＲＦＩＤ原稿３３ＡのＲＦＩＤタグ３５に格納しても、２回目以降スキャンで上記読取条件をＲＦＩＤデータＲＤと共に読み出す構成であってもよい。
【００７８】
（４）上記実施形態では、５枚全てのＲＦＩＤ原稿３３Ａについて画像読み取りが終了したときに、５ページ全ての画像データをまとめてコンピュータ６３に出力したが、本発明はこれに限られない。各ページの原稿画像をスキャンするごとに、画像データを個別にコンピュータ６３に出力してもよい。
【００７９】
（５）上記実施形態では、２回目以降スキャンにおいて、５ページ全てのＲＦＩＤ原稿３３Ａを原稿トレイ２９に再セットする例を説明したが、本発明はこれに限られない。一部のページのみを再セットしても、上記実施形態と同様の効果が得られるようにすることが好ましい。例えば通常スキャン処理において処理待ちキューにスキャン済みのＲＦＩＤ原稿３３ＡのＲＦＩＤデータＲＤを登録しておき、ＡＤＦスキャンエラーが発生しても当該処理待ちキューをクリアしない。その後、以前スキャンされていない原稿３３のスキャンが成功したときにそのＲＦＩＤデータＲＤを処理待ちキューに登録していく。これにより、全ページの原稿を再セットしなくても同一原稿の画像データの重複出力を回避できる。
【００８０】
（６）上記実施形態では、スキャン対象のＲＦＩＤ原稿３３Ａがスキャン済みか否かの判断（図４のＳ３１）を、ＲＦＩＤデータＲＤを利用して行ったが、本発明はこれに限られない。例えばフラグを利用してもよい。具体的には、ＣＰＵ３７が、通常スキャン処理でスキャンしたＲＦＩＤ原稿３３ＡのＲＦＩＤタグ３５にスキャン済みを意味するフラグを記憶する。例えばＲＦＩＤリーダ４５を、データ書き込みも可能なＲＦＩＤリーダ／ライタ（本発明の「データ書込部」の一例）に代えて、原稿排出トレイ３９に排出されたＲＦＩＤ原稿３３ＡのＲＦＩＤタグ３５にフラグを書き込む。そして、重複出力回避スキャン処理のＳ３１では、ＲＦＩＤリーダ４３（本発明の「フラグ検出部」の一例）を利用して、スキャン対処のＲＦＩＤ原稿３３ＡのＲＦＩＤタグ３５内の上記フラグの有無に基づきスキャン済みか否かを判断する。この構成であれば、ＲＦＩＤデータＲＤをＮＶＲＡＭ５５に記憶するなどといったことを行うことなく、重複出力を回避することができる。但し、この構成では、ＲＦＩＤ原稿は、データ書き込み可能なＲＦＩＤタグを有している必要がある。
【００８１】
更に、スキャン済みか否かの判断を、既にスキャンされてＮＶＲＡＭ５５に格納された画像データと、今回スキャンした画像データとに基づき画像比較をすることにより判断してもよい。この構成であれば、普通原稿であっても重複出力を防止することができる。但し、ＲＦＩＤデータＲＤやフラグを利用する構成であればスキャン済みのＲＦＩＤ原稿３３Ａについて再度スキャンする必要がないため、処理負担を軽減することができる。
【００８２】
（７）上記実施形態では、重複出力回避スキャン処理のＳ３１で、以前、スキャンした原稿であるとの肯定判断をした場合に（Ｓ３１：ＹＥＳ）、スキャンをしないとしたが、本発明はこれに限られない。２度目以降のスキャンを行ってもよい。この場合、例えば、２度目の画像データを１度目の画像データに上書きしたり、２度目の画像データを破棄したりすることで、同一原稿の画像データの重複出力を回避することができる。
【符号の説明】
【００８３】
１...複合機（原稿読取装置）
２３...原稿台（セット部）
２７...スキャナ部（画像読取部）
２９...原稿トレイ（セット部）
３３...原稿
３５...ＲＦＩＤタグ（記憶部）
３７...ＣＰＵ（判断部、制御部、消去部）
４１...ＲＦＩＤリーダ（原稿検知部）
４３...ＲＦＩＤリーダ（データ読取部、フラグ検出部）
４５...ＲＦＩＤリーダ（データ読取部、データ書込部）
５５...ＮＶＲＡＭ（データ格納部、条件格納部）
ＲＤ...ＲＦＩＤデータ（記憶データ）
【図１】
2010177761.tif 000003
【図２】
2010177761.tif 000004
【図３】
2010177761.tif 000005
【図４】
2010177761.tif 000006
【図５】
2010177761.tif 000007
【図６】
2010177761.tif 000008